(57)【特許請求の範囲】
【請求項１】
低温液化ガスのＢＯＧを加温するＢＯＧ加温システムにおいて、
低温液化ガスタンクで発生したＢＯＧを受けて加温する第１のＢＯＧ加温器と、
低温液化ガスタンクで発生したＢＯＧを受けて加温する第２のＢＯＧ加温器と、
前記第１，第２のＢＯＧ加温器で加温されたＢＯＧを受けて圧縮するＢＯＧ圧縮機と、
前記ＢＯＧ圧縮機で発生する圧縮熱で加温された加温冷却水を前記第１のＢＯＧ加温器に供給する加温冷却水供給系統と、
温水を発生するボイラーと、
前記ボイラーで発生した温水を前記第２のＢＯＧ加温器に供給すると共に前記温水を前記第１のＢＯＧ加温器に第１の開閉弁手段を介して供給可能な温水供給系統と、
を備えたことを特徴とする低温液化ガス用ＢＯＧ加温システム。
【請求項２】
前記第１のＢＯＧ加温器から排出された冷却水を受けて冷却可能な冷却手段と、
前記第１のＢＯＧ加温器から排出されて冷却手段を通過した冷却水を常温式の前記ＢＯＧ圧縮機に供給可能な冷却水供給系統とを備えたことを特徴とする請求項１に記載の低温液化ガス用ＢＯＧ加温システム。
【請求項３】
低温液化ガスのＢＯＧを加温するＢＯＧ加温システムにおいて、
低温液化ガスタンクで発生したＢＯＧを受けて加温する第１，第２のＢＯＧ加温器と、
前記第１，第２のＢＯＧ加温器で加温されたＢＯＧを受けて圧縮するＢＯＧ圧縮機と、
前記ＢＯＧ圧縮機で発生する圧縮熱で加温された加温冷却水を前記第１，第２のＢＯＧ加温器に供給する加温冷却水供給系統と、
温水を発生するボイラーと、
前記ボイラーで発生した温水で前記加温冷却水供給系統の温水を加温する熱交換器と、
前記ボイラーで発生した温水を加温冷却水供給系統に供給可能な第２の開閉弁手段とを備えたことを特徴とする低温液化ガス用ＢＯＧ加温システム。
【発明の詳細な説明】
【技術分野】
【０００１】
本発明は、低温液化ガス用ＢＯＧ加温システムに関し、特にＢＯＧ圧縮機で発生した圧縮熱を有効利用してＢＯＧを加温するようにした低温液化ガス用ＢＯＧ加温システムに関する。
【背景技術】
【０００２】
火力発電プラント等においては、ＬＮＧを貯蔵するＬＮＧタンクからＬＮＧ供給系統により発電部にＬＮＧを供給して発電を行っている。ＬＮＧタンクや配管系で発生するＬＮＧのＢＯＧ（ボイル・オフ・ガス）は、ＢＯＧ圧縮機により圧縮してＬＮＧ供給系統又はガス供給系統に戻すのが普通である。ところで、ＢＯＧ圧縮機は圧縮熱で加熱されるため冷却する必要があり、通常は火力発電プラント等におけるプロセス冷却水等を用いてＢＯＧ圧縮機を冷却し、その圧縮熱を吸収した温水は排水として廃棄、若しくは冷却塔で温度降下させて再度使用する循環運転を行っていた。
していた。
【０００３】
ここで、ＬＮＧのＢＯＧは−１６０〜−１４０℃程度の低温であるため、ＢＯＧ圧縮機としては、低温のＢＯＧをそのまま圧縮する低温式ＢＯＧ圧縮機と、低温のＢＯＧを常温近くまで加温してから圧縮する常温式ＢＯＧ圧縮機とが採用されている。
低温式ＢＯＧ圧縮機は、低温用金属材料製のＢＯＧ圧縮機であるため、設備コストが高価になるという問題があり、通常は常温式ＢＯＧ圧縮機が採用されている。
【０００４】
この常温式ＢＯＧ圧縮機を採用する場合、低温のＢＯＧをボイラー等で発生させた温水を用いて加温するＢＯＧ加温器を設け、このＢＯＧ加温器で加温したＢＯＧを常温式ＢＯＧ圧縮機に供給する。
【０００５】
特許文献１に記載の発電システムでは、ＬＮＧタンクから供給されるＢＯＧを貯留するＢＯＧ圧縮機入口ドラム、ＢＯＧ加温器、ＢＯＧ圧縮機を直列状に配置し、ＢＯＧ加温器ではプロセス冷却水等によりＢＯＧを加温してＢＯＧ圧縮機へ供給する。但し、ＢＯＧ圧縮機で発生した圧縮熱を有効利用する技術については何ら開示がない。
【先行技術文献】
【特許文献】
【０００６】
【特許文献１】特開２００８−６４２１３号公報
【発明の概要】
【発明が解決しようとする課題】
【０００７】
従来技術では、ＢＯＧ圧縮機で発生した圧縮熱を有効利用していなかったため、ＢＯＧ加温システムの熱効率を高めることができず、省エネルギーの面で不利であった。
【０００８】
本発明の目的は、ＢＯＧ加温システムの熱効率を高めて省エネルギー運転を実現できる低温液化ガス用ＢＯＧ加温システムを提供することにある。
【課題を解決するための手段】
【０００９】
請求項１の低温液化ガス用ＢＯＧ加温システムは、低温液化ガスのＢＯＧを加温するＢＯＧ加温システムにおいて、低温液化ガスタンクで発生したＢＯＧを受けて加温する第１のＢＯＧ加温器と、低温液化ガスタンクで発生したＢＯＧを受けて加温する第２のＢＯＧ加温器と、前記第１，第２のＢＯＧ加温器で加温されたＢＯＧを受けて圧縮するＢＯＧ圧縮機と、前記ＢＯＧ圧縮機で発生する圧縮熱で加温された加温冷却水を前記第１のＢＯＧ加温器に供給する加温冷却水供給系統と、温水を発生するボイラーと、前記ボイラーで発生した温水を前記第２のＢＯＧ加温器に供給すると共に前記温水を前記第１のＢＯＧ加温器に第１の開閉弁手段を介して供給可能な温水供給系統とを備えたことを特徴としている。
【００１０】
【００１１】
請求項２の低温液化ガス用ＢＯＧ加温システムは、請求項１の発明において、前記第１のＢＯＧ加温器から排出された冷却水を受けて冷却可能な冷却手段と、前記第１のＢＯＧ加温器から排出されて冷却手段を通過した冷却水を常温式の前記ＢＯＧ圧縮機に供給可能な冷却水供給系統とを備えたことを特徴としている。
【００１２】
請求項３の低温液化ガス用ＢＯＧ加温システムは、低温液化ガスのＢＯＧを加温するＢＯＧ加温システムにおいて、低温液化ガスタンクで発生したＢＯＧを受けて加温する第１，第２のＢＯＧ加温器と、前記第１，第２のＢＯＧ加温器で加温されたＢＯＧを受けて圧縮するＢＯＧ圧縮機と、前記ＢＯＧ圧縮機で発生する圧縮熱で加温された加温冷却水を前記第１，第２のＢＯＧ加温器に供給する加温冷却水供給系統と、温水を発生するボイラーと、前記ボイラーで発生した温水で前記加温冷却水供給系統の温水を加温する熱交換器と、前記ボイラーで発生した温水を加温冷却水供給系統に供給可能な第２の開閉弁手段とを備えたことを特徴としている。
【発明の効果】
【００１３】
本願の発明は、課題解決手段の欄に記載の構成を有するため、次の効果を奏する。
請求項１の発明によれば、ＢＯＧ圧縮機で発生する圧縮熱で加温された加温冷却水を加温冷却水供給系統により第１のＢＯＧ加温器へ供給してＢＯＧを加温するため、低温液化ガス用ＢＯＧ加温システムの熱効率を高め、省エネルギーを図ることができる。
【００１４】
そして、ボイラーで発生させた温水によりＢＯＧを加温する第２のＢＯＧ加温器を設けたため、停電や故障によりＢＯＧ圧縮機が停止した場合やＢＯＧ圧縮機の起動時に加温冷却水が発生しない場合でも、第２のＢＯＧ加温器によりＢＯＧを加温することができる。しかも、必要に応じて第１の開閉弁手段を開弁してボイラーで発生した温水を第１のＢＯＧ加温器へ供給することもできる。
【００１５】
請求項２の発明によれば、第１のＢＯＧ加温器から排出される冷却水の温度が高い場合には、その冷却水を冷却手段により冷却してから冷却水供給系統により常温式のＢＯＧ圧縮機へ供給することができる。
【００１６】
請求項３の発明によれば、通常は、ＢＯＧ圧縮機の圧縮熱で加温された加温冷却水を、ボイラーで発生した温水により熱交換器を介して加温し、その温水冷却水を加温冷却水供給系統により第１，第２のＢＯＧ加温器へ供給してＢＯＧを加温する。
停電や故障により両方又は片方のＢＯＧ圧縮機が停止した場合には、第２の開閉弁手段を開弁して、ボイラーで発生させた温水を加温冷却水供給系統に供給して、第１，第２のＢＯＧ加温器を稼働させることができる。
【図面の簡単な説明】
【００１７】
【図１】本発明の実施例１に係るＬＮＧ用ＢＯＧ加温システムのブロック図である。
【図２】実施例２に係るＬＮＧ用ＢＯＧ加温システムのブロック図である。
【発明を実施するための形態】
【００１８】
以下、本発明を実施するための形態について、実施例に基づいて説明する。
【実施例１】
【００１９】
この実施例に係るＬＮＧ用ＢＯＧ加温システム１について説明する。
図１はこのＬＮＧ用ＢＯＧ加温システム１のブロック図であり、このＬＮＧ用ＢＯＧ加温システム１は、ＬＮＧのＢＯＧ（ボイル・オフ・ガス）を加温するＢＯＧ加温システムである。このＢＯＧ加温システム１は、第１，第２のＢＯＧ加温器２Ａ，２Ｂと、第１，第２の常温式ＢＯＧ圧縮機３Ａ，３Ｂと、第１，第２の冷却装置４Ａ，４Ｂ（冷却手段）と、ボイラー５と、ＢＯＧ供給系統６と、加温冷却水供給系統７と、冷却水供給系統８と、温水供給系統９と、その他バルブ類や温度センサ類等を備えている。
【００２０】
第１，第２のＢＯＧ加温器２Ａ，２Ｂは、シェル・アンド・チューブ型の熱交換器である。第１のＢＯＧ加温器２Ａは、ＢＯＧ供給系統６から供給されるＢＯＧ（例えば、約−１４５℃）を加温冷却水供給系統７から供給される加温冷却水でもって加温する。第２のＢＯＧ加温器２Ｂは、ＢＯＧ供給系統６から供給されるＢＯＧを温水供給系統９から供給される温水により加温する。
【００２１】
第１，第２のＢＯＧ圧縮機３Ａ，３Ｂは、ＢＯＧ供給系統６から図示外のＢＯＧ供給通路により供給されるＢＯＧを圧縮して図示外のＬＮＧ供給通路へ供給する。
第１，第２の冷却装置４Ａ，４Ｂは、冷却水供給系統８から供給される冷却水を冷却して第１，第２のＢＯＧ圧縮機３Ａ，３Ｂへ供給する。第１，第２の冷却装置４Ａ，４Ｂは、冷却塔１０ａ，１０ｂと送風機１１ａ，１１ｂを夫々備えている。
【００２２】
ボイラー５は、気化器等から戻って来た低温水を加温して温水供給系統９に供給する。温水供給系統９は、ボイラー５から供給される温水を第２のＢＯＧ加温器２Ｂヘ供給し、第２のＢＯＧ加温器２Ｂを経由した低温温水をポンプ５ａで加圧してボイラー５へ還流させると共に、温水の一部を気化器等へ供給する。温水供給系統９のうちの第２のＢＯＧ加温器２Ｂへの入口側通路には温度調節用の流量調整弁１２が介装されている。
【００２３】
ＢＯＧ供給系統６は、ＬＮＧタンクから供給されるＬＮＧのＢＯＧを第１，第２のＢＯＧ加温器２Ａ，２Ｂに供給し、第１，第２のＢＯＧ加温器２Ａ，２Ｂを経由して常温付近の温度（例えば、約１０℃）に加温されたＢＯＧを第１，第２のＢＯＧ圧縮機３Ａ，３Ｂへ供給する。ＢＯＧ供給系統６のうちの第１，第２のＢＯＧ加温器２Ａ，２Ｂへの入口側には流量調整弁１３ａ，１３ｂが介装されており、流量調整弁１３ａは通常は開弁しており、流量調整弁１３ｂは通常は閉止状態又は絞り状態になっている。
【００２４】
加温冷却水供給系統７は、第１，第２のＢＯＧ圧縮機３Ａ，３Ｂから供給される加温冷却水（例えば、約４０℃）を第１のＢＯＧ加温器２Ａへ供給するものであり、その上流通路は第１，第２のＢＯＧ圧縮機３Ａ，３Ｂに並列接続されており、この上流通路は第１，第２のＢＯＧ圧縮機３Ａ，３Ｂに夫々接続された第１，第２の分岐通路７ａ，７ｂを有する。加温冷却水供給系統７の下流通路は、第１，第２の分岐通路７ａ，７ｂの合流部から延びて第１のＢＯＧ加温器２Ａに接続されている。この下流通路の途中部には開閉弁１４が介装され、この下流通路の第１のＢＯＧ加温器２Ａへの入口側には流量調整弁１５（通常は全開）が介装されている。
【００２５】
第１，第２の分岐通路７ａ，７ｂ には切換弁１６ａ，１６ｂが夫々介装されており、切換弁１６ａは通常開弁しており、切換弁１６ｂは通常閉止している。加温冷却水供給系統７の下流通路の途中部は第１の開閉弁手段１９（通常は閉止状態）を介して温水供給系統９に接続されている。
【００２６】
冷却水供給系統８は、第１のＢＯＧ加温器２Ａから供給された低温の冷却水（例えば、約３０℃）を第１，第２のＢＯＧ圧縮機３Ａ，３Ｂへ供給するものである。冷却水供給系統８の下流通路は、第１，第２の分岐通路８ａ，８ｂを有し、第１，第２の分岐通路８ａ，８ｂには開閉弁２４ａ，２４ｂが夫々介装されており、第１，第２の分岐通路８ａ，８ｂは第１，第２の冷却装置４Ａ，４Ｂを夫々経由して第１，第２のＢＯＧ圧縮機３Ａ，３Ｂに夫々接続されている。第１，第２の分岐通路８ａ，８ｂには、ポンプ２０ａ，２０ｂと逆止弁２１ａ，２１ｂが夫々介装されている。
【００２７】
第１，第２の分岐通路８ａ，８ｂは切換弁２２ａ，２２ｂを介して加温冷却水供給系統７の第１，第２の分岐通路７ａ，７ｂに夫々接続されている。尚、第１，第２の分岐通路８ａ，８ｂは開閉弁２５が介装された接続通路２６により接続されている。
冷却水供給系統８の上流通路の途中部には開閉弁２７が介装され、この上流通路は第１のＢＯＧ加温器２Ａに接続され、上流通路の途中部は開閉弁２９（通常は閉止状態）を介して温水供給系統９に接続されている。
【００２８】
次に、温度センサ等について説明する。
第１のＢＯＧ加温器２Ａの出口側においてＢＯＧ供給系統６には温度センサ３０が介装され、この温度センサ３０で検出されるＢＯＧの温度に基づいて、流量調整弁１３ａ，１３ｂ，１５が制御される。第２のＢＯＧ加温器２Ｂの出口側においてＢＯＧ供給系統６には温度センサ３１が介装され、この温度センサ３１で検出されるＢＯＧの温度に基づいて、流量調整弁１２が制御される。
【００２９】
冷却水供給系統８の第１，第２分岐通路８ａ，８ｂには、冷却水の温度を検出する温度サンサ３２ａ，３２ｂが夫々介装され、これら温度センサ３２ａ，３２ｂで検出された冷却水の温度に基づいて、送風機１１ａ，１１ｂが夫々制御される。
【００３０】
次に、上記のＬＮＧ用ＢＯＧ加温システム１の作用、効果について説明する。
通常の運転状態においては、図１に示すように、第２のＢＯＧ圧縮機２Ｂはほぼ休止しており、第１のＢＯＧ圧縮機３Ａから供給される加温冷却水が第１のＢＯＧ加温器２Ａに供給されて第１のＢＯＧ加温器２ＡによりＢＯＧが加温される。通常、第１のＢＯＧ加温器２Ａの加温能力が十分である場合には、第２のＢＯＧ加温器２ＢではＢＯＧが加温されないが、第１のＢＯＧ加温器２Ａの加温能力が不足する場合には、流量調整弁１３ｂが開弁されて第２のＢＯＧ加温器２Ｂも稼働する。尚、ＢＯＧの流量が多い場合には、必要に応じて、第１，第２のＢＯＧ加温器２Ａ，２Ｂと、第１，第２のＢＯＧ圧縮機３Ａ，３Ｂを稼働させることも可能である。
【００３１】
第１，第２のＢＯＧ圧縮機３Ａ，３Ｂが停止中の場合は、温水使用の第２のＢＯＧ加温器２ＢのみでＢＯＧを加温する。この場合、流量調整弁１３ｂが開弁され、流量調整弁１３ａが閉止状態に切換えられる。第１のＢＯＧ圧縮機３Ａの起動時には、上記と同様に温水使用の第２のＢＯＧ加温器２ＢのみでＢＯＧを加温する。第１のＢＯＧ圧縮機３Ａの起動後は、第１のＢＯＧ加温器２ＡでＢＯＧを加温し、第２のＢＯＧ加温器２Ｂは補助的に稼働させる。但し、第２のＢＯＧ加温器２Ｂで加温している場合でも、必要に応じて温水供給系統９から第１のＢＯＧ加温器２Ａに温水を供給してそれを稼働させることができる。
【００３２】
第１のＢＯＧ加温器２ＡのＢＯＧ出口温度を温度センサ３０で検出し、このＢＯＧ出口温度が１０℃（設定温度）となるように、流量調整弁１３ｂを制御してＢＯＧ入口流量を制御する。この場合、１０℃以上のときは流量調整弁１３ａを全開とし、流量調整弁１３ｂを絞り動作させる。１０℃以下のときは流量調整弁１３ａを全開とし、流量調整弁１３ｂを開状態にする。尚、前記の設定温度の１０℃は変更可能である。
【００３３】
温水供給系統９においては、温度センサ３１で検出されるＢＯＧ出口温度に基づいて、流量調整弁１２を制御することで温水流量を制御する。但し、最低流量以上の温水は常に流れるようにすることが必要である。加温冷却水供給系統７に流す加温冷却水の流量は調整せずに、ＢＯＧ圧縮機３Ａ又は３Ｂの１台分の加温冷却水は常に流すものとする。
【００３４】
第１のＢＯＧ圧縮機３Ａのみが稼働し、第２のＢＯＧ圧縮機３Ｂが停止中の場合は、図示のように、切換弁１６ａが開弁し、切換弁１６ｂが閉止状態であり、切換弁２２ａが閉止状態で、切換弁２２ｂが開弁状態である。
この状態から、第１のＢＯＧ圧縮機３Ａの故障や点検修理のため、第１のＢＯＧ圧縮機３Ａを停止させ、第２のＢＯＧ圧縮機３Ｂを稼働させる場合は、切換弁１６ａを閉止し、切換弁１６ｂを開弁状態にし、切換弁２２ａを開弁し、切換弁２２ｂを閉止状態に切換える。
【００３５】
ところで、ＬＮＧタンクのクールダウン時には、多量のＢＯＧが発生するが、この多量のＢＯＧを加温してから大気中へ放散させる必要がある場合がある。その場合、第１，第２のＢＯＧ加温器２Ａ，２Ｂは、停電等により第１，第２のＢＯＧ圧縮機３Ａ，３Ｂが稼働してない状況においても、ＢＯＧを加温できることが必要である。その場合、開閉弁１４を閉止し、開閉弁１９，２９を開弁し、流量調整弁１３ｂを開弁することにより、温水供給系統９から第１のＢＯＧ加温器２Ａへ温水を供給する。この場合、温度センサ３０で検出されるＢＯＧの温度に基づいて、流量調整弁１５を制御することが可能である。
【００３６】
また、例えば、１台のＢＯＧ圧縮機３Ａ又は３Ｂが点検修理のため停止中のとき、何らかの原因でＬＮＧタンク内のＢＯＧのガス圧が上昇した場合には、ＢＯＧ圧縮機の稼働台数とは関係なく、第２のＢＯＧ加温器２Ｂを稼働させてＢＯＧを加温し、大気放散させる。この場合、必要に応じて、温水供給系統９から第１のＢＯＧ加温器２Ａへ温水を供給して第１のＢＯＧ加温器２Ａを稼働させることができる。この場合、温度センサ３０で検出されるＢＯＧの温度に基づいて、流量調整弁１５を制御することが可能である。
【００３７】
以上説明したように、第１の常温式ＢＯＧ圧縮機３Ａで発生する圧縮熱で加温された加温冷却水を加温冷却水供給系統７により第１のＢＯＧ加温器２Ａへ供給してＢＯＧを加温するため、ＬＮＧ用ＢＯＧ加温システム１の熱効率を高め、省エネルギーを図ることができる。
【００３８】
ボイラー５で発生させた温水によりＢＯＧを加温する第２のＢＯＧ加温器２Ｂを設けたため、停電や故障や点検修理により常温式ＢＯＧ圧縮機３Ａ，３Ｂが停止した場合や常温式ＢＯＧ圧縮機３Ａ，３Ｂの起動時に加温冷却水が発生しない場合でも、第２のＢＯＧ加温器３ＢによりＢＯＧを加温することができる。しかも、必要に応じてボイラー５で発生した温水を第１のＢＯＧ加温器２Ａへ供給することもできる。
【００３９】
第１のＢＯＧ加温器２Ａから排出される冷却水の温度が高い場合には、その冷却水を冷却手段４Ａ，４Ｂにより冷却してから冷却水供給系統８により常温式ＢＯＧ圧縮機３Ａ，３Ｂへ供給することができる。但し、第１のＢＯＧ加温器２Ａから排出される冷却水の温度が高くない場合には、冷却手段４Ａ，４Ｂを作動させずに冷却水を通過させ、冷却水供給系統８により常温式ＢＯＧ圧縮機３Ａ，３Ｂへ供給することができる。
【００４０】
前記常温式ＢＯＧ圧縮機と前記冷却手段とが２組設けられ、前記冷却水供給系統８が２組の冷却手段４Ａ，４Ｂと第１，第２の常温式ＢＯＧ圧縮機３Ａ，３Ｂに並列接続されているため、片方の常温式ＢＯＧ圧縮機４Ａ又は４Ｂが稼働できない場合にも、他方の常温式ＢＯＧ圧縮機４Ａ又は４Ｂが稼働するため、加温冷却水を第１のＢＯＧ加温器２Ａへ供給することができる。
【実施例２】
【００４１】
次に、実施例２に係るＬＮＧ用ＢＯＧ加温システム１Ａについて説明する。
図２は、このＬＮＧ用ＢＯＧ加温システム１Ａのブロック図であり、図１のＬＮＧ用ＢＯＧ加温システム１の構成要素と同じ構成要素に同一又は類似の符号を付して説明を省略し、異なる構成について説明する。
【００４２】
このＢＯＧ加温システム１Ａにおいては、第１，第２のＢＯＧ圧縮機３Ａ，３Ｂからの加温冷却水を第１，第２のＢＯＧ加温器２Ａ，２Ｂに供給し、ボイラー５で発生させた温水を、加温冷却水供給系統７Ａに設けた熱交換器４１に供給して、温水により加温冷却水を加温する。
【００４３】
加温冷却水供給系統７Ａの下流通路の途中部に、流量調整弁４４と熱交換器４１とが並列に介装され、ボイラー５で発生させた温水を循環させる温水循環系統４０であって前記熱交換器４１を経由する温水循環系統４０が設けられている。熱交換器４１よりも上流側で温水循環系統４１には流量調整弁４２が介装されている。
【００４４】
加温冷却水供給系統７Ａの下流通路に、第１，第２のＢＯＧ加温器２Ａ，２Ｂに接続される第１，第２の加温冷却水分岐通路７ｃ，７ｄが設けられ、第２の加温冷却水分岐通路７ｄの途中部が開閉弁１９Ａを介して温水循環系統４０のボイラー出口側に接続されている。冷却水供給系統８の上流通路には、第１，第２のＢＯＧ加温器２Ａ，２Ｂから延びて開閉弁２７の上流側で合流する第１，第２の分岐上流通路８ｃ，８ｄ が設けられている。  第２の分岐上流通路８ｄの途中部が開閉弁２９Ａを介して温水循環系統４０のポンプ５ａよりも上流の上流部に接続されている。
【００４５】
図１のＢＯＧ加温システム１における、第１，第２のＢＯＧ加温器２Ａ，２ＢのＢＯＧ入口側の流量調整弁１３ａ，１３ｂが省略され、また、第１，第２の分岐通路７ａ，７ｂの流量調整弁１６ａ，１６ｂも省略されている。
【００４６】
加温冷却水供給系統７の下流通路を流れる加温冷却水の温度を検出する温度センサ４３が設けられ、この温度センサ４３で検出した加温冷却水の温度に基づいて流量調整弁４４が調整される。
【００４７】
次に、上記のＢＯＧ加温システム１Ａの作用、効果について説明する。
通常は、第１のＢＯＧ圧縮機３Ａからの加温冷却水を第１，第２のＢＯＧ加温器２Ａ，２Ｂへ供給してＢＯＧを加温する。また、通常は、流量調整弁４２が閉止又は絞り状態にされるが、加温冷却水の温度が低い場合には、流量調整弁４４を絞り、流量調整弁４２を開いて温水による加温の比率を大きくする。
【００４８】
第１，第２のＢＯＧ圧縮機３Ａ，３Ｂが稼働できない場合、開閉弁１４を閉止し、開閉弁１９Ａ，２９Ａを開弁状態に切換え、温水循環系統４０から第１，第２のＢＯＧ加温器２Ａ，２Ｂへ温水を供給して温水によりＢＯＧを加温する。
【００４９】
このように、温水のみでＢＯＧを加温することができるため、ＬＮＧタンクのクールダウン時、第１，第２のＢＯＧ圧縮機３Ａ，３Ｂの起動時、停電や故障や点検修理による第１，第２のＢＯＧ圧縮機３Ａ，３Ｂの停止時にも、ＢＯＧの加温を行うことができる。
その他、図１のＢＯＧ加温システム１と同様の作用、効果を奏する。
【００５０】
次に、前記実施例を部分的に変更する例について説明する。
（１）ＢＯＧ加温器の台数は２組に限らず、３組以上設けてもよい。また、ＢＯＧ圧縮機の台数も２組に限らず、３組以上設けてもよい。
（２）前記実施例は、ＬＮＧ用ＢＯＧ加温システムについて説明したが、本発明はＬＰＧ等のその他の低温液化ガス用ＢＯＧ加温システムにも適用することができる。
（３）本発明は前記実施例に限定されるものではなく、当業者ならば本発明の趣旨を逸脱することなく、前記実施例に種々の変更を付加した形態で実施可能であり、本発明はそのような変更形態をも包含するものである。
【符号の説明】
【００５１】
１，１Ａ      ＬＮＧ用ＢＯＧ加温システム
２Ａ，２Ｂ    第１，第２のＢＯＧ加温器
３Ａ，３Ｂ    第１，第２のＢＯＧ圧縮機
４Ａ，４Ｂ    冷却手段
５            ボイラー
７            加温冷却水供給系統
８            冷却水供給系統
１９          第１の開閉弁手段
１９Ａ        第２の開閉弁手段
４１          熱交換器
【図１】
0006651370.tif 000002
【図２】
0006651370.tif 000003